(57)【要約】【課題】保温効果を図るためにパンティストッキングやタイツなどとソックスなどを二重に履くことによるずり落ちの心配や煩わしさを無くし、見た目の美しさを際立たせる効果や靴との違和感をなくし靴の履き心地の良さが得られるようにする。【解決手段】保温性を高めるために腰回り部分は厚手編みとし、合わせて従来のタイツ類のハイソックス部、スリークォーターソックス部、クルーソックス部、ソックス部、フットカバー部をそれぞれ厚手編みとし、  薄手編みと厚手編みを組み合わせたタイツ類を作成する。【選択図】図１
2020066829.tif 000002
【特許請求の範囲】
【請求項１】
（イ）パンティストッキング及びタイツ本体のパンティ部を厚手編みに設け
（ロ）ふくらはぎからつま先までの範囲の、選択した特定部分を厚手編みに設け
（ハ）パンティ部とふくらはぎからつま先の選択した特定部分の厚手編みを組み合わせ        たパンティストッキング及びタイツ本体を設け、
（ニ）上記、厚手編み以外の部分は薄手編み部分とし、
（ホ）使用用途に応じて、組み合わせを選択するようにし、以上の構成よりなる、部分        的に厚手編みのあるパンティストッキング及びタイツ類。
【請求項２】
パンティ部とハイソックス部を厚手編みとした、請求項１の部分的に厚手編みのあるパンティストッキング及びタイツ類。
【請求項３】
パンティ部とスリークォーターソックス部を厚手編みとした、請求項１の部分的に厚手編みのあるパンティストッキング及びタイツ類。
【請求項４】
パンティ部とクルーソックス部を厚手編みとした、請求項１の部分的に厚手編みのあるパンティストッキング及びタイツ類。
【請求項５】
パンティ部とソックス部を厚手編みとした、請求項１の部分的に厚手編みのあるパンティストッキング及びタイツ類。
【請求項６】
パンティ部とフットカバー部を厚手編みとした、請求項１の部分的に厚手編みのあるパンティストッキング及びタイツ類。
【発明の詳細な説明】
【技術分野】
【０００１】  本発明はパンティストッキングおよびタイツ類の一部を厚手編みにすることにより保温性を高め、同時にデザイン性に優れるようにすること、またタイツ類とソックス類などを二重に履くことによる履き心地の悪さの解消を図ることである。
【背景技術】
【０００２】  パンティストッキングはウエスト部分から足元までの冷えなどの予防や防寒用途、また編地の伸縮によるサポートで脚線美や足元のお洒落も期待される製品である。タイツはパンティストッキングと同じ効果を持つ製品で一般的にはサテン地、ナイロン地など伸縮性を持たせた布地で縫製され、フィット性があり保温を目的とした腰から足のつま先までを覆うパンティストッキング型状の製品である。（以下これらを「タイツ類」と呼ぶ）【０００３】  従来の「タイツ類」の保温性に関しては、編み糸のデニールを太くすることにより、「タイツ類」の製品全体を厚手に仕上げる。また腰回り部分を厚手に仕上げる製品となっていた。
保温性を重視する場合は、「タイツ類」の上からハイソックス、スリークォータータイプソックス、クルーソックスやソックス、フットカバーなどを二重に履く必要がある。【０００４】  又、特許文献１では「タイツ類」に柄模様を部分的に編み込むことにより従来の二重に履く柄ショートタイツや柄ソックスがずり落ちて柄模様の見栄えを悪くすることに対応する製品が知られていた。
【先行技術文献】
【特許文献】
【０００５】
【特許文献１】実用新案登録第３０４４０７１号公報
【発明の概要】
【発明が解決しようとする課題】
【０００６】  特許文献１では柄模様のショートタイツや柄ソックスを「タイツ類」の上に二重に履くことによるずれ落ちや見栄えの問題に対応するものであるが、それは柄等デザイン性のみの効果を狙ったものである。【０００７】  保温性に焦点を当てて考えると従来の製品には次のような問題点があった。
▲１▼二重にソックス等を履く場合は、素材がタイツ類とソックス類で違うためずり落ちる心配がありまた、又履き心地が悪く見栄えも悪い。
▲２▼ずり落ち防止のため反発性の高いソックスなどを選んだり購入したりする手間は日常的に使用するには煩わしい場合がある。
▲３▼保温は腰回りだけでなく膝下部分でもあるが、従来の製品には膝下部分が厚手編みになっている製品がない。
▲４▼女性用のパンプスや細めの靴などを履く際、タイツ類などとソックス類と二重に履くと足サイズが大きくなり、パンプスなどが履きづらくなり、履き心地も悪く、見栄えも悪い。
▲５▼二重に履くことによりゴロゴロ感があり靴のサイズも大きめになり靴も限定された物での対応になる場合がある。【０００８】  保温性を保つために、腰回り部分は厚手編みとし合わせて、従来の「タイツ類」のハイソックス部分、スリークォーター部分、クルーソックス部分、ソックス部分、フットカバー部分をそれぞれ厚手編みとし、薄手編みと厚手編みを組み合わせたタイツ類を作成する。
【発明の効果】
【０００９】  ハイソックスタイプ、スリークォーターソックスタイプ、クルーソックスタイプ、ソックスタイプやフットカバータイプで薄手部分と厚手部分を組み合わせて一体化することで、ずり落ちる心配がなくなり、履き心地もよく見栄えもよくなる。
色や素材が統一化され、デザイン的にも色彩的にもシンプルな製品になるため選びやすくなり、別々に購入するより価格的にも安価となる。
二重に履く場合にはゴロゴロ感があり履く靴も限定されることが多いが、パンプスや細めの靴であっても、デニールの太い厚手編みのタイツ類と同様の履き心地となり、履き心地が良く、違和感なくパンプスなど色々なタイプの靴で履くことが出来るようになる。
さらに５種類のタイツ類は行く場所や目的などより簡単に選択することができ、様々なカラーもそろえトータルコーディネイトが図りやすくなり、より広いシチュエーションでの利用が可能になり、大変便利なアイテムとなる。
【図面の簡単な説明】
【００１０】
【図１】本発明のハイソックスタイプの側面図
【図２】本発明のスリークォーターソックスタイプの側面図
【図３】本発明のクルーソックスタイプの側面図
【図４】本発明のソックスタイプの側面図
【図５】本発明のフットカバータイプの側面図
【発明を実施するための形態】
【００１１】  以下本発明の実施の形態について説明する。
図１に示すようにパンティストッキング及びタイツ本体９はパンティ部１とハイソックス部２を３０デニール以上の厚手編み（以下厚手編みとする）としたタイツ類を作成する。
【００１２】  図２に示すようにパンティストッキング及びタイツ本体１０はパンティ部１とスリークォーターソックス部３を厚手編みとしたタイツ類を作成する。
【００１３】  図３に示すようにパンティストッキング及びタイツ本体１１はパンティ部１とクルーソックス部４を厚手編みとしたタイツ類を作成する。
【００１４】  図４に示すようにパンティストッキング及びタイツ本体１２はパンティ部と１とソックス部５を厚手編みとしたタイツ類を作成する。
【００１５】  図５に示すようにパンティストッキング及びタイツ本体１３はパンティ部１とフットカバー部６を厚手編みとしたタイツ類を作成する。
【００１６】  本発明を使用するときはパンティストッキングやタイツとハイソックス、スリークォーターソックス、クルーソックス、ソックス、フットカバーなどと二重に履く必要がない。厚手編み部分が十分な保温性を保ち、さらに二重履きによるずり落ちの心配や煩わしさをなくすことができる。
様々なカラーでトータルファッションなど美しさを際立たせる効果がある。
【符号の説明】
【００１７】１パンティ部  ２ハイソックス部  ３スリークォーター部  ４クルーソックス部  ５ソックス部  ６フットカバー部  ７脚部  ８ふくらはぎ  ９〜１３パンティストッキング及びタイツ本体
【図１】
2020066829.tif 000003
【図２】
2020066829.tif 000004
【図３】
2020066829.tif 000005
【図４】
2020066829.tif 000006
【図５】
2020066829.tif 000007